(57)【要約】【課題】  トレイ上のゴミを片手で容易かつ確実にしかも衛生的に投入することのできるゴミ収容箱を提供すること。【解決手段】  トレイ１上のゴミ等を投入するための投入口１２に横開きの開閉扉１８が配設されたゴミ収容箱１０において、投入口１２から挿入されたトレイ１先端側の下方傾斜動作時に開閉扉１８の開放状態が保持されるように、トレイ１と接触させ得るトレイ接触部２０が、開閉扉１８の下端部に設けられる。【選択図】  図５
2005280961.tif 000002
【特許請求の範囲】
【請求項１】
トレイ上のゴミ等を投入するための投入口に横開きの開閉扉が配設されたゴミ収容箱に
おいて、
前記投入口から挿入された前記トレイ先端側の下方傾斜動作時に前記開閉扉の開放状態
が保持されるように、前記トレイと接触させ得るトレイ接触部が、前記開閉扉の下端部に
設けられていることを特徴とするゴミ収容箱。
【請求項２】
前記トレイ接触部が、前記開閉扉の前面側に折り曲げて延設されていることを特徴とす
る請求項１記載のゴミ収容箱。
【請求項３】
前記トレイ接触部における、前記開閉扉の回動軸側の延設幅が大きく設計されているこ
とを特徴とする請求項１又は請求項２記載のゴミ収容箱。
【請求項４】
前記開閉扉の回動軸が、前記開閉扉の重心位置を変化させ得るように鉛直方向に対して
傾斜していることを特徴とする請求項１〜３のいずれかの項に記載のゴミ収容箱。      
【請求項５】
前記回動軸が、鉛直方向に対して前記開閉扉の自由端側に上方に向って傾斜しているこ
とを特徴とする請求項４記載のゴミ収容箱。
【請求項６】
前記回動軸が、鉛直方向に対して前記開閉扉の自由端側かつ前面側に上方に向って傾斜
していることを特徴とする請求項４記載のゴミ収容箱。
【請求項７】
前記回動軸の下端部が、前記投入口の下端部より高い位置に設けられていることを特徴
とする請求項４〜６のいずれかの項に記載のゴミ収容箱。
【請求項８】
前記投入口の内側周縁部に、前記開閉扉が取り付けられる上枠部、下枠部、及び側枠部
を備えた枠部が配設され、前記下枠部が、箱体内部に向って下方に傾斜していることを特
徴とする請求項４〜７のいずれかの項に記載のゴミ収容箱。
【請求項９】
前記開閉扉を閉方向に付勢する付勢手段を備えていることを特徴とする請求項１〜８の
いずれかの項に記載のゴミ収容箱。
【請求項１０】
前記開閉扉を閉方向に磁力で引き寄せる引き寄せ手段を備えていることを特徴とする請
求項１〜８のいずれかの項に記載のゴミ収容箱。
【請求項１１】
前記開閉扉の閉動時における閉鎖音を低減させる緩衝手段を備えていることを特徴とす
る請求項１〜１０のいずれかの項に記載のゴミ収容箱。
【請求項１２】
ゴミ等を投入するための投入口に横開きの開閉扉が配設されたゴミ収容箱において、
前記開閉扉の回動軸が、前記開閉扉の重心位置を変化させ得るように鉛直方向に対して
傾斜していることを特徴とするゴミ収容箱。
【請求項１３】
前記回動軸が、鉛直方向に対して前記開閉扉の自由端側に上方に向って傾斜しているこ
とを特徴とする請求項１２記載のゴミ収容箱。
【請求項１４】
前記回動軸が、鉛直方向に対して前記開閉扉の自由端側かつ前面側に上方に向って傾斜
していることを特徴とする請求項１２記載のゴミ収容箱。
【発明の詳細な説明】
【技術分野】
【０００１】
本発明はゴミ収容箱に関し、より詳細にはセルフサービスを伴う飲食店や公共施設等に
設置される、ゴミ等の投入口に開閉扉が配設されたゴミ収容箱に関する。
【背景技術】
【０００２】
ファーストフード店等に設置されているセルフサービス用のゴミ収容箱には、投入され
たゴミがお客の目に直接触れないように扉付きのゴミ収容箱が一般に利用されている。こ
のような扉付きのゴミ収容箱には、扉の開閉方式によりいくつかのタイプがあり、例えば
、左右１対の扉が観音開き状に開閉する横開きタイプ、上下１対の扉が観音開き状に開閉
する縦開きタイプ、扉の左右いずれか一方にヒンジ部分を備えた横開きかつ片開き一枚ド
アタイプのもの等がある。
【０００３】
図１１は、従来の横開きの開閉扉が配設されたゴミ収容箱を模式的に示した正面図であ
る。ゴミ収容箱５０は、略直方体形状をした箱体５１を備え、箱体５１の正面上部には、
横長長方形形状をした投入口５２が形成されている。投入口５２には、左扉５３ａ及び右
扉５３ｂからなる開閉扉５３が、後方側に観音開き状に開くように配設されている。左扉
５３ａ及び右扉５３ｂは、それぞれの外端部に鉛直方向に設けられた左回動軸５４と右回
動軸５５とを中心として水平方向に回動可能なように投入口５２に支持されるようになっ
ている。
【０００４】
また、左扉５３ａ及び右扉５３ｂの回動軸側の端部と箱体５１側面との間に、ばね部材
５６（図１２、１３参照）が連結されており、開閉扉５３の開放時には、ばね部材５６に
より開閉扉５３が閉方向に付勢されるように構成されており、開閉扉５３は開放後ばね力
により閉じるようになっている。
【０００５】
次に従来のゴミ収容箱５０におけるゴミ投入時の開閉扉５３の動作について説明する。
図１２、図１３は、従来のゴミ収容箱５０におけるトレイを使用したゴミ投入時の開閉扉
５３の動作について説明するための図であり、図１２（ａ）、図１２（ａ）はトレイの挿
入前の状態、図１２（ｂ）、図１３（ｂ）はトレイの略水平方向への挿入時の状態、図１
２（ｃ）、図１３（ｃ）は、トレイの傾斜時の状態を示す図であり、図１２は平面断面図
、図１３は部分断面側面図を示している。なおここでは、トレイ１上のゴミ（図示せず）
を片手で投入しようとした場合の動作を説明する。
【０００６】
まず、図１２（ａ）、図１３（ａ）に示したトレイ１の挿入前の状態から、トレイ１の
先端部を開閉扉５３に押し当てて、トレイ１を略水平状態に保ったまま押し込みながらト
レイ１を箱体内に挿入する（図１２（ｂ）、図１３（ｂ）の状態）。この状態では、トレ
イ１の先端部が左扉５３ａと右扉５３ｂとに接触している状態となっており、左扉５３ａ
と右扉５３ｂとは、ばね部材５６により閉方向に付勢されている。
【０００７】
図１２（ｂ）、図１３（ｂ）の状態からトレイ１上のゴミを箱体１１内に捨てるために
トレイ１の先端部を下方に傾斜させる必要がある。すると、トレイ１の先端部と開閉扉５
３との接触状態が開放され、開閉扉５３がばね部材５６による閉方向への付勢により閉じ
て、開閉扉５３がトレイ１上に覆い被さる。結果として、図１２（ｃ）、図１３（ｃ）に
示すようにトレイ１上のゴミが落下する前に開閉扉５３がゴミを受け止めてしまい、ゴミ
の落下を妨げてしまうこととなる。
【０００８】
従来のゴミ収容箱５０では、トレイ１上のゴミを片手で投入しようとすると、ゴミが落
下する前に開閉扉５３がトレイ１上に覆い被さり、トレイ１からゴミをスムーズに落とす
ことができない。そのため、何度か挿入動作を繰り返す必要があった。また、飲料などの
背の高い容器を捨てる場合、手前に転倒してしまい、中身が残っていると、トレイ１の上
にこぼれたり、開閉扉５３、箱体１１、あるいは投入者に飛び散ったりして、汚れやすく
、衛生的にも好ましくなく、また掃除も大変であった。
【０００９】
このようなことを回避するために従来のゴミ収容箱５０を使用する場合、通常、人々は
片方の手で左扉５３ａ又は右扉５３ｂを押し込んで開放状態とした上でトレイ１を挿入す
るという両手による操作を行っており、トレイ１上のゴミを片手で容易かつ確実にしかも
衛生的に投入することが困難であるという課題があった。
【００１０】
また、下記の特許文献１には、縦開きタイプのゴミ収容容器が開示されている。特許文
献１記載のゴミ収容容器は、ゴミ投入口を上下方向に開閉される観音開き状の開閉蓋と、
該開閉蓋を常時閉状態に保持し、下方の開閉蓋がトレイ等で押し付けて開放されると上方
の開閉蓋を同様に開放させる開閉蓋作動機構とを含んで構成されている。              
【００１１】
しかしながら、特許文献１記載のゴミ収容容器では、下方の開閉蓋を十分に開放させな
いと、連動する上方の開閉蓋を十分に押し上げることができない。そのため、トレイ上に
背の高い飲料用等の容器がある場合には、この容器が上方の開閉蓋に触れてしまい、開閉
蓋が汚れやすい。また、開閉蓋の動作が重たい上に機構が複雑で部品点数も多く、製造コ
ストが高くつく。また、開閉蓋作動機構を構成する部品の連結部などに食べ物のかすや飲
料などが付着すると、各部のスムーズな動作が妨げられ、期待通りの動作が得られなくな
るという課題があった。
【００１２】
また、この開閉蓋の仕組みを知らないまま、上方の開閉扉にトレイを押し当てることも
あり、この場合、下方の開閉扉を十分に開放させることができず、上方の開閉扉も十分に
開放させることができず、片方の手で上方の開閉扉を押し込んで開放状態とした上でトレ
イを挿入するという両手による操作が必要であり、上記した横開きタイプと同様にトレイ
上のゴミを片手で容易かつ確実にしかも衛生的に投入することが困難であるという課題が
あった。
【特許文献１】実開平６−１４１０６号公報
【発明の開示】
【課題を解決するための手段及びその効果】
【００１３】
本発明は上記課題に鑑みなされたものであって、トレイ上のゴミを片手で容易かつ確実
にしかも衛生的に投入することができ、また、開閉扉の開放操作を軽い力で行うことがで
きるとともに、開閉扉の閉鎖を自動的に行うことができ、確実に開閉扉を閉鎖状態に保つ
ことができ、構造がシンプルで低コスト化を図ることのできるゴミ収容箱を提供すること
を目的としている。
【００１４】
上記目的を達成するために本発明に係るゴミ収容箱（１）は、トレイ上のゴミ等を投入
するための投入口に横開きの開閉扉が配設されたゴミ収容箱において、前記投入口から挿
入された前記トレイ先端側の下方傾斜動作時に前記開閉扉の開放状態が保持されるように
、前記トレイと接触させ得るトレイ接触部が、前記開閉扉の下端部に設けられていること
を特徴としている。
【００１５】
上記ゴミ収容箱（１）によれば、前記投入口から挿入された前記トレイ先端側の下方傾
斜動作時に前記開閉扉の開放状態が保持されるように、前記トレイと接触させ得るトレイ
接触部が、前記開閉扉の下端部に設けられているので、前記投入口から前記トレイを挿入
して、該トレイの先端部を下方に傾斜させた場合でも、前記トレイと前記トレイ接触部と
を前記開閉扉の開放状態を保持するように接触させることができ、前記開閉扉を十分開放
させた状態に保つことができる。したがって、前記開閉扉を片方の手で押さえたりする必
要なく、片手で前記トレイ上のゴミを容易かつ確実にしかも衛生的に投入することができ
る。また、複雑な機構を必要とすることなく低コストで前記トレイ上のゴミの投入時にお
ける前記開閉扉の開閉操作に優れたゴミ収容箱を実現することができる。
【００１６】
また本発明に係るゴミ収容箱（２）は、上記ゴミ収容箱（１）において、前記トレイ接
触部が、前記開閉扉の前面側に折り曲げて延設されていることを特徴としている。
【００１７】
上記ゴミ収容箱（２）によれば、前記トレイ接触部が、前記開閉扉の前面側に折り曲げ
て延設されているので、前記トレイ接触部の鉛直方向に要する長さを抑えることができ、
収容箱内のゴミの収容量が減ることを抑えることができる。また、前記開閉扉の横幅が前
記トレイの横幅と比べて大きな場合でも、前記トレイを傾斜させたときに前記開閉扉を十
分に開放状態とすることが可能となり、多様なサイズのトレイに対応させることができる
とともに、前記投入口を大きく形成することができ、前記トレイの挿入やゴミの直接投入
を容易に行うことができる。
【００１８】
また本発明に係るゴミ収容箱（３）は、上記ゴミ収容箱（１）又は（２）において、前
記トレイ接触部における、前記開閉扉の回動軸側の延設幅が大きく設計されていることを
特徴としている。
【００１９】
上記ゴミ収容箱（３）によれば、前記トレイ接触部における、前記開閉扉の回動軸側の
延設幅が大きく設計されているので、前記トレイを挿入して先端部を略水平状態から下方
に大きく傾斜させた場合における前記トレイ接触部と前記トレイとの接触点の移動をスム
ーズに行うことができるとともに、前記接触点が前記開閉扉の回動軸側、すなわち投入口
の近くに移動した場合でも、前記開閉扉をゴミの投入に十分な開放状態に保つことができ
る。
【００２０】
また本発明に係るゴミ収容箱（４）は、上記ゴミ収容箱（１）〜（３）のいずれかにお
いて、前記開閉扉の回動軸が、前記開閉扉の重心位置を変化させ得るように鉛直方向に対
して傾斜されていることを特徴としている。
【００２１】
上記ゴミ収容箱（４）によれば、前記開閉扉の回動軸が、前記開閉扉の重心位置を変化
させ得るように鉛直方向に対して傾斜しているので、前記開閉扉の閉鎖状態と開放状態と
で、前記開閉扉の重心位置を変化させることができ、開放状態における前記開閉扉の重力
作用を利用することにより、ばね等の付勢手段を用いることなく簡単な構成により前記開
閉扉を自動的に閉じることができる。
【００２２】
また本発明に係るゴミ収容箱（５）は、上記ゴミ収容箱（４）において、前記回動軸が
、鉛直方向に対して前記開閉扉の自由端側に上方に向って傾斜していることを特徴として
いる。
【００２３】
上記ゴミ収容箱（５）によれば、前記回動軸が、鉛直方向に対して前記開閉扉の自由端
側に上方に向って傾斜しているので、前記開閉扉は、閉鎖状態において重心が最も低い位
置となる一方、開放状態では、前記開閉扉の自由端側が上昇することにより重心位置が高
くなる。したがって、開放状態の開閉扉を重力作用により自動的に閉じることができる。
【００２４】
また本発明に係るゴミ収容箱（６）は、上記ゴミ収容箱（４）において、前記回動軸が
、鉛直方向に対して前記開閉扉の自由端側かつ前面側に上方に向って傾斜されていること
を特徴としている。
【００２５】
上記ゴミ収容箱（６）によれば、上記ゴミ収容箱（５）と略同様の効果を得ることがで
きるとともに、前記回動軸が、鉛直方向に対して前記開閉扉の前面側に上方に向って傾斜
しているので、前記開閉扉の閉鎖時においても前方への重力が作用しており、前記開閉扉
による前記投入口の閉鎖を確実に行うことができ、閉鎖状態を安定的に保つことができる
。したがって、内部のゴミ等が目に触れることなく、清潔感を一層高めることができる。
【００２６】
また本発明に係るゴミ収容箱（７）は、上記ゴミ収容箱（４）〜（６）のいずれかにお
いて、前記回動軸の下端部が、前記投入口の下端部より高い位置に設けられていることを
特徴としている。
【００２７】
上記ゴミ収容箱（７）によれば、前記回動軸の下端部が、前記投入口の下端部より高い
位置に設けられているので、投入されるゴミ等が前記回動軸に付着しにくくなり、食べ物
かすや飲料などの付着等による前記開閉扉の動作不良を防止することができる。したがっ
て、前記開閉扉の回動動作をスムーズに行わせることができ、未使用時には前記開閉扉を
確実に閉めた状態にさせることができる。
【００２８】
また本発明に係るゴミ収容箱（８）は、上記ゴミ収容箱（４）〜（７）のいずれかにお
いて、前記投入口の内側周縁部に、前記開閉扉が取り付けられる上枠部、下枠部、及び側
枠部を備えた枠部が配設され、前記下枠部が、箱体内部に向って下方に傾斜していること
を特徴としている。
【００２９】
上記ゴミ収容箱（８）によれば、前記投入口の内側周縁部に配設される前記下枠部が、
箱体内部に向って下方に傾斜しているので、ゴミを前記下枠部の上に載せると、前記ゴミ
が前記下枠部の傾斜により下方に移動又は倒れ込み、前記ゴミの自重により前記開閉扉を
押し開いて、前記箱体内部に前記ゴミが落下することとなる。したがって、前記開閉扉を
手で触ることなく、前記ゴミを捨てることができる。
【００３０】
また本発明に係るゴミ収容箱（９）は、上記ゴミ収容箱（１）〜（８）のいずれかにお
いて、前記開閉扉を閉方向に付勢する付勢手段を備えていることを特徴としている。
【００３１】
上記ゴミ収容箱（９）によれば、前記開閉扉を閉方向に付勢する付勢手段を備えている
ので、前記開閉扉を閉方向に付勢することができ、本体が傾斜面に設置された場合や列車
などの移動体に設置された場合などにおける、前記開閉扉の傾斜による開動や振動による
ばたつき動作を防止することができ、閉鎖状態をより一層安定した状態で保つことができ
、利用範囲を広めることができる。前記付勢手段には、各種のばね部材を採用することが
できる。
【００３２】
また本発明に係るゴミ収容箱（１０）は、上記ゴミ収容箱（１）〜（８）のいずれかに
おいて、前記開閉扉を閉方向に磁力で引き寄せる引き寄せ手段を備えていることを特徴と
している。
【００３３】
上記ゴミ収容箱（１０）によれば、前記開閉扉を閉方向に磁力で引き寄せる引き寄せ手
段を備えているので、前記開閉扉を閉方向に磁力で引き寄せて閉鎖状態を安定的に保つこ
とができ、前記開閉扉の傾斜による開動や振動によるばたつき動作を防止することができ
、様々な利用状況下において閉鎖状態をより一層安定した状態で保つことができ、利用範
囲を広めることができる。前記引き寄せ手段には、永久磁石などの磁気部材を採用するこ
とができる。
【００３４】
また本発明に係るゴミ収容箱（１１）は、上記ゴミ収容箱（１）〜（１０）のいずれか
において、前記開閉扉の閉動時における閉鎖音を低減させる緩衝手段を備えていることを
特徴としている。
【００３５】
上記ゴミ収容箱（１１）によれば、前記開閉扉の閉動時における閉鎖音を低減させる緩
衝手段を備えているので、前記開閉扉の閉動時の閉鎖音や振動を低減させることができ、
静かにゴミの投入を行うことが可能となる。例えば、緩衝手段には、閉鎖時に前記開閉扉
と当接する位置に設けるもの（例えば、ゴム部材、衝撃吸収部材など）、あるいは前記開
閉扉が完全に閉鎖状態となる前に開放方向に向って付勢するもの（例えば、ばね部材）な
どを採用することができる。
【００３６】
また本発明に係るゴミ収容箱（１２）は、ゴミ等を投入するための投入口に横開きの開
閉扉が配設されたゴミ収容箱において、前記開閉扉の回動軸が、前記開閉扉の重心位置を
変化させ得るように鉛直方向に対して傾斜していることを特徴としている。
【００３７】
上記ゴミ収容箱（１２）によれば、前記開閉扉の回動軸が、前記開閉扉の重心位置を変
化させ得るように鉛直方向に対して傾斜しているので、前記開閉扉の閉鎖状態と開放状態
とで、前記開閉扉の重心位置を変化させることができ、開放状態における前記開閉扉の重
力作用を利用することにより、ばね等の付勢手段を用いることなく簡単な構成により前記
開閉扉を自動的に閉じることができる。
【００３８】
また本発明に係るゴミ収容箱（１３）は、上記ゴミ収容箱（１２）において、前記回動
軸が、鉛直方向に対して前記開閉扉の自由端側に上方に向って傾斜していることを特徴と
している。
【００３９】
上記ゴミ収容箱（１３）によれば、前記回動軸が、鉛直方向に対して前記開閉扉の自由
端側に上方に向って傾斜しているので、前記開閉扉は、閉鎖状態において重心が最も低い
位置となる一方、開放状態では、前記開閉扉の自由端側が上昇することにより重心位置が
高くなる。したがって、開放状態の開閉扉は、重力作用により自動的に閉じられることと
なる。
【００４０】
また本発明に係るゴミ収容箱（１４）は、上記ゴミ収容箱（１２）において、前記回動
軸が、鉛直方向に対して前記開閉扉の自由端側かつ前面側に上方に向って傾斜されている
ことを特徴としている。
【００４１】
上記ゴミ収容箱（１４）によれば、上記ゴミ収容箱（１３）と略同様の効果を得ること
ができるとともに、前記回動軸が、鉛直方向に対して前記開閉扉の前面側に上方に向って
傾斜しているので、前記開閉扉の閉鎖時においても前方への重力が作用しており、前記開
閉扉による前記投入口の閉鎖を確実に行うことができ、閉鎖状態を安定して保つことがで
きる。したがって、内部のゴミ等が目に触れることなく、清潔感を一層高めることができ
る。
【発明を実施するための最良の形態】
【００４２】
以下、本発明に係るゴミ収容箱の実施の形態を図面に基づいて説明する。図１乃至図３
は、実施の形態（１）に係るゴミ収容箱の要部を模式的に示した図であり、図１は正面図
、図２は背面断面図、図３は側面断面図であり、いずれも閉扉状態を示している。
【００４３】
ゴミ収容箱１０は、略直方体形状をした箱体１１を備え、箱体１１の正面上部には、横
長台形形状をした投入口１２が形成されている。なお投入口１２の形状は、横長台形形状
に限定されるものではなく横長長方形形状としてもよい。
【００４４】
投入口１２の内側周縁部には、上枠部１３、下枠部１４、及び側枠部１５ａ、１５ｂか
らなる枠部１６が配設されている。側枠部１５ａ、１５ｂは、投入口１２に沿う形で鉛直
方向に対して所定角度θ1内側に上方に向って傾斜しており、また、側枠部１５ａ、１５
ｂは、それぞれ下端から上端に向って鉛直方向に対して所定角度θ2前側に傾斜している
。なお本実施の形態では、枠部１６が投入口１２に取り付けられている場合について説明
するが、別の実施の形態では箱体１１と枠部１６とが一体的に形成されていてもよい。
【００４５】
側枠部１５ａにはヒンジ部材１７を介して左扉１８ａが取り付けられ、側枠部１５ｂに
はヒンジ部材１７を介して右扉１８ｂが取り付けられており、開閉扉１８を構成する左扉
１８ａと右扉１８ｂとは、各ヒンジ部材１７の軸１９（開閉扉１８の回動軸Ａ、Ａ’に相
当する）をそれぞれ中心として後方側に回動自在に支持されている。
【００４６】
側枠部１５ａ、１５ｂに所定の傾斜角度θ1、θ2を設けることにより、側枠部１５ａ、１５ｂに取り付けられたヒンジ部材１７の軸１９（開閉扉１８の回動軸Ａ、Ａ’）が、鉛直方向に対して開閉扉１８の自由端側かつ前面側に上方に向かって傾斜する。
【００４７】
また、下枠部１４は、箱体１１内部に向かって下方に傾斜しており、奥行きに一定の幅
を持たせてある。したがって、ゴミを下枠部１４上に載せるだけで、ゴミが下枠部１４の
傾斜により下方に移動又は倒れ込み、ゴミの自重により開閉扉１８を押し開いて、ゴミを
箱体１１内部に落下させることができるようになっている。
【００４８】
開閉扉１８は、閉鎖状態において重心が最も低い位置となる一方、開放状態では、図３
において破線で示したように開閉扉１８の自由端側が上昇することにより重心位置が高く
なる。したがって、開放状態の開閉扉１８は、重力作用により自動的に閉じられることと
なる。さらに軸１９が、開閉扉１８の前面側に傾斜しているので、開閉扉１８の閉鎖時に
おいてもなお前方への重力が作用しており、開閉扉１８の閉鎖状態が安定して保てるよう
になっている。
【００４９】
また、左扉１８ａ及び右扉１８ｂの縦幅は、投入口１２の縦幅よりも大きく設計されて
おり、左扉１８ａ及び右扉１８ｂの下端部には、投入口１２から挿入されたトレイの傾斜
動作時に開閉扉１８の開放状態が保持されるようにトレイと接触させるトレイ接触部２０
が、左扉１８ａ及び右扉１８ｂの前面側に折り曲げて延設されている。トレイ接触部２０
の延設幅は、開閉扉１８の自由端側から開閉扉１８の回動軸側（すなわちヒンジ部材１７
側）に沿って大きくなるように設定されている。これら左扉１８ａと右扉１８ｂとトレイ
接触部２０とを含んで開閉扉１８が構成されている。
【００５０】
トレイ接触部２０の屈折角度は、０°（開閉扉１８と同一面）〜約９０°（開閉扉１８
と垂直）の範囲で任意に設定することができ、トレイ接触部２０の延設幅の設定と同様に
開閉扉１８の大きさや使用されるトレイの大きさなどを考慮して、トレイをスムーズに傾
斜させることができ、大きく傾斜させても、開閉扉１８が開放状態のまま保たれるように
設定される。
【００５１】
また、開閉扉１８が閉鎖しているときは、開閉扉１８の回動軸Ａ、Ａ’の傾斜に伴う重
力作用により開閉扉１８の下部が下枠部１４に当接するようになっており、下枠部１４が
開閉扉１８のストッパの役割を果している。下枠部１４は、弾性を有するゴム部材や各種
衝撃吸収部材等から構成されており、開閉扉１８の閉動時における閉鎖音を低減させる緩
衝手段としての機能を備えている。
【００５２】
なお、開閉扉１８を構成する材料は、特に限定されるものではなく、鉄、アルミ、ステ
ンレスなどの各種の金属製の板や、プラスチックなどの各種の樹脂製の板、木製の板など
を加工して形成することができ、軽量なものが好ましい。開閉扉１８の剛性を高める必要
があれば、金属製の板を用いるのが好ましく、同時に軽量化を図るのであれば、金属製の
板をウレタン樹脂等の発泡性部材で挟み込んだ積層板を採用することができる。
【００５３】
次に、実施の形態（１）に係るゴミ収容箱１０におけるゴミ投入時の開閉扉１８の動作
について説明する。図４、図５は実施の形態（１）に係るゴミ収容箱１０におけるトレイ
を使用したゴミ投入時の開閉扉１８の動作を説明するための概略図であり、図４（ａ）、
図５（ａ）はトレイ挿入前の状態、図４（ｂ）、図５（ｂ）はトレイの略水平方向への挿
入時の状態、図４（ｃ）、図５（ｃ）はトレイの傾斜時の状態を示しており、図４は平面
断面図、図５は部分断面側面図を示している。なおここでは、トレイ１上のゴミ（図示せ
ず）を片手で投入しようとした場合の動作を説明する。
【００５４】
まず、図４（ａ）、図５（ａ）に示したトレイ１の挿入前の状態から、トレイ１の先端
部を開閉扉１８に軽く押し当てて、トレイ１を略水平状態に保ったまま箱体１１内に挿入
する。このとき開閉扉１８は、従来のようにばね力による抵抗が作用せず、慣性により軽
やかに開放され、開閉扉１８の重さを感じることなくトレイ１が箱体１１内に挿入される
。（図４（ｂ）、図５（ｂ）の状態）。この状態では、トレイ１の先端部が左扉１８ａと
右扉１８ｂとに接触している状態にある。
【００５５】
図４（ｂ）、図５（ｂ）の状態からトレイ１上のゴミを箱体１１内に捨てるためにトレ
イ１の先端部を下方に傾斜させる。傾斜角度を水平状態から徐々に上げていくと、やがて
トレイ１の先端部が開閉扉１８の下に位置するが、トレイ１の両側部が開閉扉１８の下端
部に延設されたトレイ接触部２０と接触することにより、開閉扉１８の開放状態が保たれ
る。
【００５６】
さらに、トレイ１の傾斜角度を大きくすると、トレイ１の両側部とトレイ接触部２０と
の接触点が、トレイ接触部２０の傾斜に沿って開閉扉１８の回動軸側、すなわち投入口１
２側に移動してくる。トレイ１の傾斜角度が大きくなっても、開閉扉１８の回動軸側にお
いてトレイ１と接触可能な十分な幅のトレイ接触部２０が設けられているので、トレイ接
触部２０とトレイ１の両側部とを接触させることができ、開閉扉１８の開放状態が保たれ
、トレイ１上のゴミを確実に箱体１１内に捨てることができる（図４（ｃ）、図５（ｃ）
の状態）。
【００５７】
また、トレイ１上のゴミの投入後、トレイ１を引き抜くと、左扉１８ａ、右扉１８ｂに
働く重力作用により開閉扉１８が自動的に緩やかに閉じるとともに、投入口１２が完全に
閉鎖される。
【００５８】
上記実施の形態（１）に係るゴミ収容箱１０によれば、投入口１２から挿入されたトレ
イ１先端側の下方傾斜動作時に開閉扉１８の開放状態が保持されるように、トレイ１と接
触させ得るトレイ接触部２０が、開閉扉１８の下端部に設けられているので、投入口１２
からトレイ１を挿入して、トレイ１の先端部を下方に傾斜させた場合でも、トレイ１とト
レイ接触部２０とを開閉扉１８の開放状態を保持するように接触させることができ、開閉
扉１８を十分開放させた状態に保つことができる。したがって、開閉扉１８を片方の手で
押さえたりする必要なく、片手でトレイ１上のゴミを容易かつ確実にしかも衛生的に投入
することができる。また、複雑な機構を必要とすることなく低コストでトレイ１上のゴミ
の投入時における開閉扉１８の開閉操作に優れたゴミ収容箱を実現することができる。
【００５９】
また、トレイ接触部２０が、開閉扉１８の前面側に折り曲げて延設されているので、ト
レイ接触部２０の鉛直方向に要する長さを抑えることができ、箱体１１内のゴミの収容量
が減ることを抑えることができる。また、開閉扉１８の横幅がトレイ１の横幅と比べて大
きな場合でも、トレイ１を傾斜させたときに開閉扉１８を十分に開放状態とすることが可
能となり、多様なサイズのトレイに対応させることができるとともに、投入口１２を大き
く形成することができ、トレイ１の挿入やゴミの直接投入を容易に行うことが可能となる
。
【００６０】
また、トレイ接触部２０における、開閉扉１８の回動軸側の延設幅が大きく設計されて
いるので、トレイ１を挿入して先端部を略水平状態から下方に大きく傾斜させた場合にお
けるトレイ接触部２０とトレイ１との接触点の移動をスムーズに行うことができるととも
に、前記接触点が開閉扉１８の回動軸側、すなわち投入口１２の近くに移動した場合でも
、開閉扉１８をゴミの投入に十分な開放状態に保つことができる。
【００６１】
また、開閉扉１８の回動軸Ａ、Ａ’（ヒンジ部材１７の軸１９）が、鉛直方向に対して
開閉扉１８の自由端側に上方に向って傾斜しているので、開閉扉１８は、閉鎖状態におい
て重心が最も低い位置となる一方、開放状態では、開閉扉１８の自由端側が上昇すること
により重心位置が高くなる。したがって、開放状態の開閉扉１８は、重力作用により自動
的に閉じられることとなる。また、開閉扉１８の回動軸Ａが、鉛直方向に対して開閉扉１
８の前面側に上方に向って傾斜しているので、開閉扉１８の閉鎖時においても前方への重
力が作用しており、開閉扉１８による投入口１２の閉鎖を確実に行うことができ、閉鎖状
態を安定的に保つことができる。したがって、内部のゴミ等が目に触れることなく、清潔
感を一層高めることができる。
【００６２】
また、ヒンジ部材１７の軸１９の下端部が、投入口１２の下端部より高い位置に設けら
れているので、投入されるゴミ等が軸１９に付着しにくくなり、食べ物かすや飲料などの
付着等による開閉扉１８の動作不良を防止することができる。したがって、開閉扉１８の
回動動作をスムーズに行わせることができ、未使用時には開閉扉１８を確実に閉めた状態
にさせることができる。
【００６３】
また、下枠部１４が開閉扉１８の閉動時における閉鎖音を低減させる緩衝手段としての
機能を備えているので、開閉扉１８の閉動時の閉鎖音や振動を低減させることができ、静
かにゴミの投入を行うことが可能となる。
【００６４】
なお、実施の形態（１）に係るゴミ収容箱１０では、開閉扉１８の下端部に設けられた
トレイ接触部２０が、開閉扉１８の前面側に折り曲げて延設されている場合について説明
したが、別の実施の形態では、トレイ接触部を開閉扉の前面側に折り曲げることなく下方
に延設させた形態とすることもできる。
【００６５】
次に実施の形態（２）に係るゴミ収容箱について説明する。図６乃至図９は、実施の形
態（２）に係るゴミ収容箱を模式的に示した図であり、図６は正面図、図７は背面断面図
、図８は側面断面図、図９は平面断面図であり、いずれも閉扉状態を示している。
実施の形態（２）に係るゴミ収容箱１０Ａと実施の形態（１）に係るゴミ収容箱１０と
が相違する主な点は、開閉扉の構造が異なる点である。
【００６６】
ゴミ収容箱１０Ａは、略直方体形状をした箱体２１を備え、箱体２１の正面上部には、
横長長方形形状をした投入口２２が形成されている。投入口２２の内側周縁部には、上枠
部２３、下枠部２４、及び側枠部２５ａ、２５ｂからなる枠部２６が配設されている。上
枠部２３には、その両端部からそれぞれ所定距離を隔てた箇所に、後述する開閉扉２８の
上部回動軸２８ｃを枢支するための上部軸受部２３ａが後方に向けて突設されている。ま
た箱体２１の両側面所定箇所には、後述する開閉扉２８の下部回動軸２８ｄを枢支するた
めの下部軸受部２１ａが内側に向けて突設されている。
【００６７】
投入口２２には、開閉扉２８を構成する左扉２８ａと右扉２８ｂとが後方側に観音開き
状に開くように配設されており、左扉２８ａ及び右扉２８ｂの背面側には、上部回動軸２
８ｃと下部回動軸２８ｄとが配設されており、上部回動軸２８ｃと下部回動軸２８ｄとに
より開閉扉２８の回動軸Ｂ、Ｂ’が構成されている。
【００６８】
上部回動軸２８ｃは、左扉２８ａ及び右扉２８ｂの上部両端部から所定距離を隔てた箇
所に後方に向けて突設されており、下部回動軸２８ｄは、左扉２８ａ及び右扉２８ｂの側
枠部２５ａ、２５ｂ側の下端部から所定距離を隔てた箇所に後方に向けて突設されている
。上部回動軸２８ｃと下部回動軸２８ｄとからなる開閉扉２８の回動軸Ｂ、Ｂ’は、鉛直
方向に対して開閉扉２８の自由端側に所定角度θ3かつ前面側に所定角度θ4ほど上方に向って傾斜するように設計されており、回動軸Ｂ、Ｂ’を中心として後方側に回動自在と
なるように上部軸受部２３ａ及び下部軸受部２１ａによって枢支されるようになっている
。
【００６９】
開閉扉２８は、閉鎖状態において重心が最も低い位置となる一方、開放状態では、図８
において破線で示したように開閉扉２８の自由端側が上昇することにより重心位置が高く
なる。したがって、開放状態の開閉扉２８は、重力作用により自動的に閉じられることと
なる。さらに上部回動軸２８ｃと下部回動軸２８ｄとからなる回動軸Ｂ、Ｂ’が鉛直方向
に対して所定角度θ4ほど前面側に傾斜しているので、開閉扉２８の閉鎖時においてもなお前方へ重力が作用しており、開閉扉２８の閉鎖状態が安定して保てるようになっている
。
【００７０】
また、開閉扉２８の縦幅は、投入口２２の縦幅よりも大きく設計されており、開閉扉２
８の下端部には、投入口２２から挿入されたトレイ先端側の下方傾斜動作時に開閉扉２８
の開放状態が保持されるようにトレイと接触させ得るトレイ接触部２０が、左扉２８ａ及
び右扉２８ｂの前面側に折り曲げて延設されている。トレイ接触部２０の延設幅は、開閉
扉２８の自由端側から開閉扉２８の回動軸側に沿って大きくなるように設定されている。
これら左扉２８ａと右扉２８ｂと上部回動軸２８ｃと下部回動軸２８ｄとトレイ接触部２
０とを含んで開閉扉２８が構成されている。
【００７１】
なお、実施の形態（２）に係るゴミ収容箱１０Ａにおけるゴミ投入時の開閉扉２８の動
作については、図４、図５に示した実施の形態（１）に係るゴミ収容箱１０におけるトレ
イ１を使用したゴミ投入時の開閉扉１８の動作と略同様である（開閉扉２８の回動軸Ｂ、
Ｂ’の配設位置が異なるだけであり、その動作は略同じで、略同様の効果が得られる）の
で、ここではその説明を省略する。
【００７２】
上記実施の形態（２）に係るゴミ収容箱１０Ａによれば、投入口２２から挿入されたト
レイ１先端側の下方傾斜動作時に開閉扉２８の開放状態が保持されるように、トレイ１と
接触させ得るトレイ接触部２０が、開閉扉２８の下端部に設けられており、トレイ接触部
２０が、開閉扉１８の前面側に折り曲げて延設されており、開閉扉１８の回動軸側の延設
幅が大きく設計されており、また、開閉扉２８の回動軸Ｂ、Ｂ’が、鉛直方向に対して開
閉扉２８の自由端側かつ前面側に上方に向って傾斜されており、また、下部回動軸２８ｄ
が、投入口２２の下端部より高い位置に設けられているので、上記実施の形態（１）に係
るゴミ収容箱１０と略同様な効果を得ることができる。
【００７３】
また、開閉扉２８は、開閉扉２８の背面側に設けた回動軸Ｂ、Ｂ’を傾斜させているの
で、左扉２８ａ及び右扉２８ｂを傾斜させずに閉鎖することができ、外観上、全く違和感
を感じさせないものとすることができる。
【００７４】
なお、上記実施の形態（１）、（２）に係るゴミ収容箱１０、１０Ａでは、開閉扉１８
、２８の回動軸Ａ、Ａ’、Ｂ、Ｂ’をそれぞれ傾斜させることにより、重力作用により開
放状態から自動的に閉じて、閉鎖状態を安定的に保つことができるように構成されている
が、傾斜している場所や、振動がある場所では、開閉扉１８、２８が開いたままになった
り、開閉扉１８、２８がばたばたと開閉することも想定されるので、このような場所で使
用するものについては、例えば、図１０に示すようにばね部材２９を開閉扉２８の回動軸
側の端部に配設して、開閉扉２８を常時閉方向に付勢するような構成とすることもできる
。なお、開閉扉２８の回動軸Ｂ、Ｂ’が、鉛直方向に対して開閉扉２８の自由端側や前面
側に上方に向って傾斜している場合、ばね部材２９は、ばね力の非常に小さいものでよい
。また、ばね部材２９を設けた場合には、開閉扉２８の回動軸Ｂ、Ｂ’を鉛直方向に対し
て開閉扉２８の自由端側や前面側に上方に向って傾斜させない構成としてもよい。
【００７５】
また、ばね部材２９の代わりに、下枠部２４と開閉扉２８とが互いに接触する部分に永
久磁石からなる磁気部材（図示せず）を配設して、磁力により開閉扉２８を閉方向に引き
寄せて、開閉扉２８の閉鎖状態を確実に維持することができる構成としてもよい。なお、
前記磁気部材は、開閉扉２８が傾斜や振動により開放しない程度の比較的弱い磁力のもの
が好ましく、小さな磁気部材を下枠部２４と開閉扉２８との接触面に複数個設置するよう
にすれば良い。
【００７６】
また、上記実施の形態（１）、（２）に係るゴミ収容箱１０、１０Ａでは、左扉と右扉
とからなる観音開きタイプの開閉扉１８、２８に適用した場合について説明したが、別の
実施の形態では、１枚の開閉扉からなる片開きの開閉扉にも同様に適用することができる
。
【００７７】
また、上記実施の形態（１）、（２）に係るごみ収容箱１０、１０Ａでは、開閉扉１８
、２８の下端部にトレイ接触部２０が延設されている場合ついて説明したが、特にトレイ
接触部２０を設けない構成としてもよく、この場合でも開閉扉が少しの力で軽やかに開閉
するので、ゴミを直接容易にかつ確実に投入することができる。
【産業上の利用可能性】
【００７８】
ファーストフード店などのトレイを使用する飲食店に設置されるゴミ箱や、高速道路の
サービスエリア、駅、空港などの公共施設あるいは、バス、列車、飛行機などの移動体に
設置されるトレイの使用を前提としないゴミ箱等にも広く適用することができ、各種のゴ
ミを容易かつ確実にしかも衛生的に投入することが可能となる。また、シンプルな構成で
あるため、既存の扉付きのゴミ収容箱よりも低コストで提供することが可能となり、製品
のコスト面でも十分な競争力を備えたものとすることができる。また、既存のゴミ箱につ
いては、開閉扉の部分を付け替える等、部分的な交換によっても対応することができる。
【図面の簡単な説明】
【００７９】
【図１】本発明の実施の形態（１）に係るゴミ収容箱の要部を模式的に示した正面図である。
【図２】実施の形態（１）に係るゴミ収容箱の要部を模式的に示した背面断面図である。
【図３】実施の形態（１）に係るゴミ収容箱の要部を模式的に示した側面断面図である。
【図４】実施の形態（１）に係るゴミ収容箱における開閉扉の動作を説明するための平面断面図であり、（ａ）はトレイ挿入前の状態、（ｂ）はトレイ挿入時の状態、（ｃ）はトレイ傾斜時の状態を示した図である。
【図５】実施の形態（１）に係るゴミ収容箱における開閉扉の動作を説明するための部分断面側面図であり、（ａ）はトレイ挿入前の状態、（ｂ）はトレイ挿入時の状態、（ｃ）はトレイ傾斜時の状態を示した図である。
【図６】実施の形態（２）に係るゴミ収容箱の要部を模式的に示した正面図である。
【図７】実施の形態（２）に係るゴミ収容箱の要部を模式的に示した背面断面図である。
【図８】実施の形態（２）に係るゴミ収容箱の要部を模式的に示した側面断面図である。
【図９】実施の形態（２）に係るゴミ収容箱の要部を模式的に示した平面断面図である。
【図１０】別の実施の形態に係るゴミ収容箱の要部を模式的に示した平面断面図である。
【図１１】従来の横開きの開閉扉が配設されたゴミ収容箱の要部を模式的に示した正面図である。
【図１２】従来のゴミ収容箱の開閉扉の動作を説明するための平面断面図であり、（ａ）はトレイ挿入前の状態、（ｂ）はトレイ挿入時の状態、（ｃ）はトレイ傾斜時の状態を示す図である。
【図１３】従来のゴミ収容箱の開閉扉の動作を説明するための部分断面側面図であり、（ａ）はトレイ挿入前の状態、（ｂ）はトレイ挿入時の状態、（ｃ）はトレイ傾斜時の状態を示す図である。
【符号の説明】
【００８０】
１０、１０Ａ  ゴミ収容箱
１２、２２  投入口
１８、２８  開閉扉
２０  トレイ接触部
【図１】
2005280961.tif 000003
【図２】
2005280961.tif 000004
【図３】
2005280961.tif 000005
【図４】
2005280961.tif 000006
【図５】
2005280961.tif 000007
【図６】
2005280961.tif 000008
【図７】
2005280961.tif 000009
【図８】
2005280961.tif 000010
【図９】
2005280961.tif 000011
【図１０】
2005280961.tif 000012
【図１１】
2005280961.tif 000013
【図１２】
2005280961.tif 000014
【図１３】
2005280961.tif 000015